(57)【特許請求の範囲】
【請求項１】
撮像手段と、
表示手段と、
装置本体に外部の撮像装置が装着されているか否かを確認する確認手段と、
前記外部の撮像装置による撮影範囲を示す撮影範囲情報を取得する取得手段と、
前記撮像手段により撮像された画像に、前記取得手段により取得された撮影範囲情報に示される撮影範囲に相当する領域を設定する設定手段と、
前記確認手段により装置本体に前記外部の撮像装置が装着されていることが確認されたことを条件として、前記設定手段により設定された領域とこの領域に対応する画像とに基づく内容を前記表示手段に表示させる表示制御手段と、
を備えることを特徴とする表示装置。
【請求項２】
前記表示制御手段は、前記設定手段により設定された領域に対応する画像を前記表示手段に表示させることを特徴とする請求項１記載の表示装置。
【請求項３】
前記外部の撮像装置と通信を行う通信手段を更に備え、
前記取得手段は、前記通信手段を介して前記外部の撮像装置から前記撮影範囲情報を取得することを特徴とする請求項１記載の表示装置。
【請求項４】
前記通信手段は、前記外部の撮像装置から、前記外部の撮像装置が撮像する画像を逐次受信し、
前記表示制御手段は、前記確認手段により装置本体に前記外部の撮像装置が装着されていないことが確認されたことを条件として、前記通信手段により逐次受信された画像を前記表示手段に表示させる
ことを特徴とする請求項３記載の表示装置。
【請求項５】
前記確認手段により装置本体に前記外部の撮像装置が装着されていないことが確認されたことに応答し、前記通信手段を介して前記外部の撮像装置に一定時間毎の撮像動作、及び当該撮像動作により撮像した画像の送信の開始を要求する要求手段を更に備えることを特徴とする請求項４記載の表示装置。
【請求項６】
前記確認手段は、前記取得手段により取得された撮影範囲情報に示される撮影範囲が前記撮像手段により撮像される画像の撮影範囲に含まれる場合に、前記外部の撮像装置が装着されていると判断することを特徴とする請求項１乃至５の何れか記載の表示装置。
【請求項７】
前記取得手段は、通信手段を介して前記外部の撮像装置に撮像動作及び当該撮像動作により撮像した画像の送信を要求するとともに、当該要求に応答して前記外部の撮像装置から送信された画像を前記撮影範囲情報として取得することを特徴とする請求項３乃至６の何れか記載の表示装置。
【請求項８】
前記設定手段は、前記取得手段により前記撮影範囲情報として取得された第１の画像に相当する領域を、前記撮像手段により前記第１の画像と同一又は略同一のタイミングで撮像された第２の画像の内容から特定し、特定した領域を前記設定された領域として設定することを特徴とする請求項１乃至７の何れか記載の表示装置。
【請求項９】
前記設定手段は、前記第２の画像において前記第１の画像の予め決められた基準領域に相当する特定領域を探索することによって、前記第１の画像に相当する領域を前記第２の画像において特定し、特定した領域を前記設定された領域として設定することを特徴とする請求項８記載の表示装置。
【請求項１０】
電子機器本体に外部の撮像装置が装着されているか否かを確認する確認ステップと、
前記外部の撮像装置による撮影範囲を示す撮影範囲情報を取得する取得ステップと、
撮像部で撮像された画像に、前記取得ステップにて取得された撮影範囲情報に示される撮影範囲に相当する領域を設定する設定ステップと、
前記確認ステップにて前記電子機器本体に前記外部の撮像装置が装着されていることが確認されたことを条件として、前記設定ステップにて設定された領域とこの領域に対応する画像とに基づく内容を表示手段に表示させる表示制御ステップと、
を含むことを特徴とする画像表示方法。
【請求項１１】
撮像手段と表示手段とを備えた表示装置が有するコンピュータを、
装置本体に外部の撮像装置が装着されているか否かを確認する確認手段、
外部の撮像装置による撮影範囲を示す撮影範囲情報を取得する取得手段、
前記撮像手段により撮像された画像に、前記取得手段により取得された撮影範囲情報に示される撮影範囲に相当する領域を設定する設定手段、
前記確認手段により装置本体に前記外部の撮像装置が装着されていることが確認されたことを条件として、前記設定手段により設定された領域とこの領域に対応する画像とに基づく内容を前記表示手段に表示させる表示制御手段、
として機能させることを特徴とするプログラム。
【発明の詳細な説明】
【技術分野】
【０００１】
本発明は、撮像画像を表示する表示装置に関するものである。
【背景技術】
【０００２】
従来、画像を表示するモニターを有することなく、主として撮影レンズと撮像素子とから構成され、取得した画像を外部の表示装置に供給するユニット型の撮像装置が多数存在する。
【０００３】
また、下記特許文献１には、ユニット型の撮像装置が取得（撮像）する画像を無線で携帯電話等の表示装置に送信させ、表示装置においてライブビュー表示を実現するとともに、表示装置からの操作により撮像装置に撮影動作を行わせ、取得した撮影画像を撮像装置や表示装置に保存する技術が記載されている。
【０００４】
係る技術によれば、例えばユニット型の撮像装置を表示装置に装着して使用するときには、一般的なデジタルカメラと同様に構図を確認しながら撮影を行うことができる。
【先行技術文献】
【特許文献】
【０００５】
【特許文献１】特許第５５４１４２９号公報
【発明の概要】
【発明が解決しようとする課題】
【０００６】
しかしながら、上記の技術の撮像装置は、表示装置がライブビュー表示を行っている間は撮像した画像を撮像動作と並行して表示装置へ逐次送信するが、電池容量は一般的なデジタルカメラに比べ遙かに小さいので、連続稼働時間が大きく低下するという問題があった。
【０００７】
本発明は、かかる従来の課題に鑑みてなされたものであり、外部の撮像装置側の電力消費を抑えつつ、この外部の撮像装置の撮像範囲を再現することができる表示装置、画像表示方法及びプログラムを提供することを目的とする。
【課題を解決するための手段】
【０００８】
前記課題を解決するため、本発明の表示装置にあっては、撮像手段と、表示手段と、  装置本体に外部の撮像装置が装着されているか否かを確認する確認手段と、前記外部の撮像装置による撮影範囲を示す撮影範囲情報を取得する取得手段と、前記撮像手段により撮像された画像に、前記取得手段により取得された撮影範囲情報に示される撮影範囲に相当する領域を設定する設定手段と、前記確認手段により装置本体に前記外部の撮像装置が装着されていることが確認されたことを条件として、前記設定手段により設定された領域とこの領域に対応する画像とに基づく内容を前記表示手段に表示させる表示制御手段と、を備えることを特徴とする。
【発明の効果】
【０００９】
本発明によれば、外部の撮像装置側の電力消費を抑えつつ、この外部の撮像装置の撮像範囲を再現することができる。
【図面の簡単な説明】
【００１０】
【図１】本発明の実施形態に係る表示装置を示す図であって、（ａ）はユニット型の撮像装置の装着状態を示す背面側の外観斜視図、（ｂ）は表示装置の正面側の外観斜視図である。
【図２】表示装置と撮像装置の電気的構成を示すブロック図である。
【図３】本発明に係る表示装置の動作を示すフローチャートである。
【図４】図３の初期設定処理を示すフローチャートである。
【図５】第１のキャプチャ画像と第２のキャプチャ画像との関係を示した図である。
【図６】代替表示機能によるライブビュー表示に際してモニターに表示される部分画像を示す図である。
【発明を実施するための形態】
【００１１】
以下、本発明の実施形態について説明する。図１は、本発明に係る表示装置１を示す図であって、同図（ａ）はユニット型の撮像装置１０１が装着された状態における背面側の外観斜視図、同図（ｂ）は正面側の外観斜視図である。
【００１２】
本実施形態の表示装置１は、具体的には携帯情報端末として一般に普及しているスマートフォンにより実現されたものであり、表示装置１は薄板状の本体２を有しており、図１（ａ）に示したように本体２の背面側にはカメラ部３が設けられ、図１（ｂ）に示したように本体２の表面側には、タッチパネルを含むモニター４と通話用のスピーカー５とが設けられている。
【００１３】
撮像装置１０１は、表示装置１に着脱自在であり、図１（ａ）に示したように、例えば専用又は汎用のアタッチメント（不図示）を用いて表示装置１の本体２の略中央部に前記カメラ部３から離れて装着されている。撮像装置１０１は、主として撮影レンズ１０２と、後述する撮像素子と、電源スイッチやシャッターボタン等の複数の操作スイッチからなる操作部１０３とから構成される。
【００１４】
一方、図２は、表示装置１と撮像装置１０１の電気的構成の要部を示すブロック図である。
【００１５】
まず、表示装置１の電気的構成について説明する。図に示したように表示装置１は、制御部１１と、撮像部１２、表示部１３、記憶部１４、無線通信部１５、入力部１６、電源部１７の各部を有している。
【００１６】
制御部１１は、図示しないＣＰＵ（Central Processing Unit）、及びその周辺回路等や、プログラムが格納されたＲＯＭ（Read Only Memory）、作業用のＲＡＭ（Random Access memory）等から構成される。制御部１１は、上記ＲＯＭに記憶されているプログラム、及び記憶部１４に記憶されている各種のアプリケーションプログラムに従い表示装置１の各部を制御するとともに、後述する各種の処理を実行する。
【００１７】
撮像部１２は、前記カメラ部３に設けられた撮影レンズを介して被写体を撮像するＣＣＤ（Charge Coupled Device）やＣＭＯＳ（Complementary Meta1 0xide Semiconductor）等の撮像素子、及びその駆動回路、ＡＦＥ（Analog Front End）等から構成される。撮像部１２は、表示装置１にカメラモードが設定されている間、上記撮像素子から出力される撮像信号を増幅するとともにデジタル信号へ変換し、制御部１１へ供給する。
【００１８】
そして、表示装置１がカメラとして機能としているときには、撮像部１２から制御部１１に供給された撮像信号は、制御部１１において複数段の信号処理を施された後、前記モニター４とその駆動回路からなる表示部１３へ供給され、前記モニター４においてスルー画像として表示される。また、撮影時には、撮像部１２から供給された撮像信号に基づき制御部１１によって記録用の画像データが制御部１１によって生成され、ＪＰＥＧ（Joint Photographic Expert Group）方式等により圧縮された後、記憶部１４に記憶される。
【００１９】
記憶部１４は、フラッシュメモリ等の内蔵の半導体メモリであり、制御部１１が表示装置１の各部の制御に使用する基本的な制御プログラムや、表示装置１において各種の機能を実現するための前述したアプリケーションプログラム、制御部１１において圧縮された画像データ、つまり撮影画像のデータ等を記憶する。上記アプリケーションプログラムには、表示装置１の操作による前記撮像装置１０１での撮影を可能とする所定のアプリケーションプログラム（以下、リモコンアプリという）が含まれる。
【００２０】
無線通信部１５は、前記撮像装置１０１と近距離無線通信を行うための通信回路等により構成され、後述するように撮像装置１０１から画像データを受信したり、撮像装置１０１に操作信号を送信したりする。なお、本実施形態において無線通信部１５により行われる近距離無線通信はＢｌｕｅｔｏｏｔｈ（登録商標）によるものである。
【００２１】
入力部１６は、電源スイッチや、前記モニター４に付加されているタッチパネルとから構成される。
【００２２】
電源部１７は、電源電池（例えばニッケル水素電池等の充電池）、及びＤＣ／ＤＣコンバータ等で構成され、表示装置１の各部に対して各々が必要とする電力を供給する。
【００２３】
なお、表示装置１には、電話通信を行うため、マイクを含むとともに、マイクから入力した音声を変調して送信する音声入力回路、送信回路、及び受信した音声信号を受信して復号再生する受信回路、前記スピーカー５を含む再生回路等を有するが、これら周知の回路については、図示及び説明を省略する。
【００２４】
次に、撮像装置１０１の電気的構成について説明する。図２に示したように撮像装置１０１は、制御部１１１と、撮像部１１２、記憶部１１３、無線通信部１１４、入力部１１５、電源部１１６の各部を有している。
【００２５】
制御部１１１は、図示しないＣＰＵ、及びその周辺回路等や、プログラムが格納されたＲＯＭ、作業用のＲＡＭ等から構成される。制御部１１１は、上記ＲＯＭに記憶されているプログラムに従い撮像装置１０１の各部を制御するとともに、後述する各種の処理を実行する。
【００２６】
撮像部１１２は、前記撮影レンズ１０２を介して被写体を撮像するＣＣＤやＣＭＯＳ等の撮像素子、及びその駆動回路、ＡＦＥ等から構成される。撮像部１１２は、電源がオンされている間、上記撮像素子から出力される撮像信号を増幅するとともにデジタル信号へ変換し、制御部１１１へ供給する。
【００２７】
制御部１１１は、撮像部１１２か供給された撮像信号に複数段の信号処理を施して画像データを生成し、撮影待機状態にある間には、無線通信部１１４を介して前記表示装置１に供給する。また、制御部１１１は、撮影時には、記録用の画像データを生成するともに、それをＪＰＥＧ方式等により圧縮し、静止画ファイルとして記憶部１４に記憶する。
【００２８】
記憶部１１３は、フラッシュメモリ等の内蔵の半導体メモリや、撮像装置１０１に着脱自在なカード型のメモリ等により構成される。
【００２９】
無線通信部１１４は、前記表示装置１と近距離無線通信を行うための通信回路等により構成され、制御部１１１により生成された画像データを前記表示装置１に送信したり、表示装置から送信される操作信号を受信したりする。
【００３０】
入力部１１５は、前記操作部１０３における電源スイッチ等の複数の操作スイッチにより構成される。
【００３１】
電源部１１６は、電源電池（例えばニッケル水素電池等の充電池）、及びＤＣ／ＤＣコンバータ等で構成され、撮像装置１０１の各部に対して各々が必要とする電力を供給する。
【００３２】
そして、本実施形態の前記表示装置１においては、ユーザーが前記タッチパネル等の操作により前述したリモコンアプリを起動することにより、表示装置１からの操作によって撮像装置１０１を用いた撮影が可能となる。
【００３３】
以下、リモコンアプリが起動されたときの表示装置１の動作について説明する。なお、ここでは表示装置１と撮像装置１０１とがＢｌｕｅｔｏｏｔｈ（登録商標）におけるペアリングを行われている状態であるとともに、撮像装置１０１を用いた撮影が静止画撮影であることを前提とする。
【００３４】
図３及び図４は、リモコンアプリが起動されたとき、表示装置１の制御部１１が実行する処理の内容を示したフローチャートである。
【００３５】
図３に示したように制御部１１は、リモコンアプリの起動とともに処理を開始し、直ちに図４に示した初期設定処理を実行する（ステップＳ１）。なお、以下の処理説明においては、撮像装置１０１をリモートカメラと呼び、表示装置１が有するカメラ部３を自機カメラと呼ぶこととする。
【００３６】
図４に示したように、初期設定処理において制御部１１は、リモートカメラ（撮像装置１０１）へキャプチャ画像の送信を要求するとともに、自機カメラによってキャプチャ画像を取得する（ステップＳ１０１）。より具体的には、リモートカメラへ被写体の撮像、及び取得したキャプチャ画像の送信を要求する要求信号を送信し、それと並行して撮像部１２に被写体を撮像させてキャプチャ画像を取得し、それを前記作業用のＲＡＭに記憶する。
【００３７】
そして、制御部１１は、前記要求に応じてリモートカメラから送られたキャプチャ画像を受信し、それをリモートカメラによる撮影範囲を示す撮影範囲情報として前記作業用のＲＡＭに記憶する（ステップＳ１０２）。
【００３８】
図５は、上記の処理によって略同一タイミングで撮像されたリモートカメラのキャプチャ画像（以下、第１のキャプチャ画像という）Ｇ１と、自機カメラのキャプチャ画像（以下、第２のキャプチャ画像という）Ｇ２との関係を示した図である。なお、本実施形態においては、図に示したように自機カメラの画角がリモートカメラの画角よりも広いことを前提としている。
【００３９】
引き続き、制御部１１は、前記第１のキャプチャ画像Ｇ１に基準領域Ａを設定する（ステップＳ１０３）。係る基準領域Ａは、第１のキャプチャ画像Ｇ１の中心Ｏの周辺領域であって、予め決められた縦方向及び横方向の画素サイズを有する領域である。
【００４０】
次に、制御部１１は、自機カメラで取得した第２のキャプチャ画像Ｇ２について、公知の画像処理技術を用いて上記の基準領域Ａに対応する図５に示したような特定領域Ｂを探索する（ステップＳ１０４）。係る特定領域Ｂの探索に際して制御部１１は、例えば基準領域Ａの部分画像のサイズを変化させながら、第２のキャプチャ画像Ｇ２に対象領域を順に設定し、部分画像と対象領域とにおける被写体の輪郭や色等を比較し、両者が一致したときの対象領域を上記特定領域Ｂとする。
【００４１】
次に、制御部１１は、特定領域Ｂの探索に成功した場合、つまり図５に例示したように第２のキャプチャ画像Ｇ２に特定領域Ｂが存在する場合であって、図１（ａ）に示したように撮像装置１０１が装着されていると判断できるときには（ステップＳ１０５：ＹＥＳ）、第２のキャプチャ画像Ｇ２における特定領域Ｂの中心Ｏの座標位置を取得する（ステップＳ１０６）。
【００４２】
さらに、制御部１１は、取得した特定領域Ｂの中心Ｏの座標位置と、特定領域Ｂを探索したときの基準領域Ａのサイズ（又は縮小倍率）とに基づき表示対象領域Ｃを設定し、画像内における表示対象領域Ｃの位置及び大きさを示す領域情報を記憶する（ステップＳ１０７）。つまり制御部１１は、第２のキャプチャ画像Ｇ２の全領域内において第１のキャプチャ画像Ｇ１、すなわちリモートカメラの撮影範囲に相当する領域を表示対象領域Ｃとして設定し、その領域情報を記憶する。領域情報は、例えば表示対象領域Ｃの四隅の座標位置等である。なお、図５は、表示対象領域Ｃの中心Ｐと第２のキャプチャ画像Ｇ２の中心Ｑとの間にズレが生じることを便宜的に示した図である。
【００４３】
しかる後、制御部１１は、代替表示機能を有効にするとともに（ステップＳ１０８）、初期設定処理を終了して図３の処理に戻る。ここで、代替表示機能は、撮像装置１０１が装着されている状態での撮影を想定して設けられている機能である。より具体的には、後述するようにリモートカメラで取得される画像に代えて自機カメラで取得した画像をスルー画像として前記モニター４にライブビュー表示する機能である。
【００４４】
また、制御部１１は、述した場合とは異なり、第２のキャプチャ画像Ｇ２において前述した特定領域の探索に失敗した場合、つまり撮像装置１０１が装着されていないと判断できるときには（ステップＳ１０５：ＮＯ）、直ちに前記代替表示機能を無効にするとともに（ステップＳ１０９）、初期設定処理を終了して図３の処理に戻る。
【００４５】
引き続き、制御部１１は、初期設定処理で代替表示機能を有効としたときには（ステップＳ２：ＹＥＳ）、先ずリモートカメラ（撮像装置１０１）に対し、通信モードの省電力モードへの移行を指示する（ステップＳ３）。ここで省電力モードとは、表示装置１との間の通信確認を一定の時間間隔をおいてのみ行うモード（アイドルモード、Sniffモードとも言う）であり、係る処理に際して制御部１１は、リモートカメラに通信モードの省電力モードへの切り換えを指示する指示信号を送信する。
【００４６】
しかる後、制御部１１は、自機カメラにおける撮像動作を開始するとともに（ステップＳ４）、撮像した画像から前述した領域情報により示される領域の部分画像Ｇ３を切り出して前記モニター４へ表示する処理を開始する（ステップＳ５）。すなわち制御部１１は、図６に示したようにフレーム毎に取得した画像Ｇ２１の表示対象領域Ｃのみの画像データを前記表示部１３へ供給し、撮像した画像から部分画像Ｇ３を切り出し、それをスルー画像として前記モニター４に逐次全画面表示するライブビュー表示を開始する。
【００４７】
一方、上記とは異なり、初期設定処理において代替表示機能を無効としたとき（ステップＳ２：ＮＯ）、制御部１１は、リモートカメラに対し所定のフレームレートでの撮像、及びスルー画像の送信開始を要求する（ステップＳ６）。
【００４８】
しかる後、制御部１１は、リモートカメラ（撮像装置１０１）から送られるフレーム毎のスルー画像の受信、及びそのスルー画像の前記モニター４への表示を開始する（ステップＳ７）。つまりリモートカメラからスルー画像を逐次受信し、それを前記モニター４へ表示するライブビュー表示を開始する。
【００４９】
以後、上記のいずれかのライブビュー表示を行っている間、つまり撮影待機状態において制御部１１は、ユーザーによる前記タッチパネル等からの撮影指示の有無を確認し、撮影指示があれば（ステップＳ８：ＹＥＳ）、リモートカメラに対し撮影を指示する指示信号を送信する（ステップＳ９）。これによりリモートカメラにおいて静止画撮影が行われる。
【００５０】
また、制御部１１は、ユーザーからリモコンアプリの終了指示があるまで前述したライブビュー表示を継続し（ステップＳ１０：ＮＯ）、その間に、ユーザーによる撮影指示がある毎に（ステップＳ８：ＹＥＳ）、リモートカメラへ撮影を指示する指示信号を送信し、リモートカメラに静止画撮影を行わせる。
【００５１】
その後、制御部１１は、ライブビュー表示を行っている間にユーザーからリモコンアプリの終了指示があれば（ステップＳ１０：ＹＥＳ）、その時点で処理を終了する。
【００５２】
以上説明したように本実施形態の表示装置１においては、本体２に装着された撮像装置１０１を用いて撮影を行う際、撮像部１２により撮像した画像の一部をスルー画像としてモニター４へ表示するライブビュー表示、すなわち代替表示機能によるライブビュー表示を行う。
【００５３】
そのため、撮影待機状態にある間、撮像装置１０１に所定のフレームレートでの被写体の撮像、及び撮像した画像の送信を行わせずとも、ユーザーに、一般的なデジタルカメラと同様に構図を確認しながら撮影を行わせることができる。したがって、撮影待機状態での撮像装置１０１の消費電力を削減することができ、撮影時おける撮像装置１０１の電力消費を抑えつつ、ライブビュー表示を実現する、つまり撮像装置１０１の撮像範囲を再現することができる。
【００５４】
また、撮像装置１０１が装着されていないと判断できた場合には、従来と同様、撮像装置１０１により撮像されたスルー画像をモニター４へ表示する。したがって、撮像装置１０１が表示装置１から離れている状態であっても、ユーザーに構図確認を行わせることができる。
【００５５】
また、撮像装置１０１が装着されていると判断できた場合にのみ、つまり撮像装置１０１が装着されていることを条件として代替表示機能によるライブビュー表示を行う。したがって、撮像装置１０１が装着されているときには、撮像装置１０１により撮像されたスルー画像、つまり正規のスルー画像をモニター４へ表示することができる。
【００５６】
さらに、撮像装置１０１が装着されていないと判断した場合には、撮像装置１０１に自動的に所定のフレームレートでの撮像動作を開始させることから、ユーザーに撮像装置１０１を直接操作するといった煩雑な作業を行わせることなく、代替表示機能によるライブビュー表示を実施することができる。
【００５７】
また、撮像部１２により撮像した第２のキャプチャ画像Ｇ２において、撮像装置１０１により撮像された第１のキャプチャ画像Ｇ１の基準領域Ａに対応する特定領域Ｂが探索できた否かによって、撮像装置１０１が装着されているか否かを判断（確認）し、自動的に代替表示機能を有効または無効とする。したがって、ユーザーに煩雑な操作を行わせることなく、常に適切な方法によってライブビュー表示を行うことができる。
【００５８】
なお、本発明の実施に際しては、本実施形態とは異なり、例えば表示装置１に撮像装置１０１が装着された際にそれを機械的又は電気的に検出するスイッチを設け、係るスイッチによって撮像装置１０１の装着の有無を確認するようにしてもよい。さらに、本発明の実施に際しては、ユーザーが必要に応じて代替表示機能を有効又は無効に設定できる構成としても構わない。
【００５９】
また、本実施形態においては、代替表示機能によるライブビュー表示に際して撮像した画像から部分画像Ｇ３を切り出す表示対象領域Ｃを、前記第２のキャプチャ画像Ｇ２と略同一のタイミングで撮像された第１のキャプチャ画像Ｇ１に基づき特定する。したがって、撮像装置１０１が汎用のアタッチメントを用いて表示装置１の本体２に装着された場合等であっても、表示対象領域Ｃを正確に設定することができる。
【００６０】
つまり装着時における撮像装置１０１の撮影光軸と表示装置１におけるカメラ部３の撮影光軸とのズレ量やズレ方向、更には光軸方向の違いが未知の場合であっても、表示対象領域Ｃを正確に設定することができる。同時に、撮像装置１０１の撮影レンズ１０２がズーム機能を有する構成であっても、表示対象領域Ｃを正確に設定することができる。
【００６１】
また、前記表示対象領域Ｃの設定に際しては、第２のキャプチャ画像Ｇ２において、第１のキャプチャ画像Ｇ１の一部である予め決められた基準領域（Ａ）に相当する特定領域（Ｂ）を探索することによって、前記表示対象領域Ｃとすべき領域を特定する。したがって、例えば第２のキャプチャ画像Ｇ２において、第１のキャプチャ画像Ｇ１の全領域に該当する領域を探索して前記表示対象領域Ｃとすべき領域を特定する場合に比べ、前記表示対象領域Ｃの設定処理を高速で行うことができる。
【００６２】
ここで、本実施形態においては、撮像装置１０１の撮影範囲を示す撮影範囲情報として、撮像装置１０１により撮像された第１のキャプチャ画像Ｇ１を用いる場合について説明した。しかし、前記撮影範囲情報は前記表示対象領域Ｃの設定を可能とする情報であればよい。したがって、前記撮影範囲情報は、例えば撮像装置１０１が専用のアタッチメントを用いて表示装置１の本体２に装着される特定のものであれば、装着状態における撮像装置１０１の撮影光軸と表示装置１におけるカメラ部３の撮影光軸とのズレ量やズレ方向、光軸方向の違い等であっても構わない。
【００６３】
また、本実施形態においては、主として撮像装置１０１の画角と表示装置１におけるカメラ部３の画角が固定されている場合について説明したが、本発明は、代替表示機能によるライブビュー表示に先立ち、撮像装置１０１の画角よりも広い画角をカメラ部３に設定可能な構成であれば適用可能である。
【００６４】
また、本実施形態においては、前述した表示対象領域Ｃの設定を目的として撮像装置１０１に撮像動作を行わせ、撮像装置１０１から前記撮影範囲情報となる第１のキャプチャ画像Ｇ１を取得する構成とした。しかし、これに限らず撮影範囲情報として使用する画像は、撮像装置１０１が所定のフレームレートで撮像を行っている間に取得され、かつ表示装置１に逐次送信されるスルー画像であっても構わない。
【００６５】
その場合には、例えばリモコンアプリが起動された直後には、表示装置１において撮像装置１０１に所定のフレームレートで撮像を行い、撮像したスルー画像を逐次送信をする動作を行わせる。そして、表示装置１には、スルー画像の受信間隔に基づいて、撮像装置１０１の撮像動作と同期した撮像動作を行わせてキャプチャ画像を取得させ、当該キャプチャ画像と同時期に撮像装置１０１において撮像された何れかのスルー画像を前記撮影範囲情報として使用させればよい。
【００６６】
また、ここでは、主として撮像装置１０１を用いた撮影が静止画撮影である場合について説明したが、本発明は、静止画撮影に限らず動画撮影を行う間にも適用することができる。また、本発明の表示装置をスマートフォンによって実現する場合について説明したが、これに限らず、本発明は、撮像手段、及び当該撮像手段によって撮像したスルー画像を表示する表示手段を備えたものであれば、任意の電子機器において実現することができる。
【００６７】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
［請求項１］
撮像手段と、
表示手段と、
外部の撮像装置による撮影範囲を示す撮影範囲情報を取得する取得手段と、
前記撮像手段により撮像された画像に、前記取得手段により取得された撮影範囲情報に示される撮影範囲に相当する領域を設定する設定手段と、
前記設定手段により設定された領域に対応する画像を前記表示手段に表示させる第１の表示制御手段と、
を備えることを特徴とする表示装置。
［請求項２］
前記外部の撮像装置と通信を行う通信手段を更に備え、
前記取得手段は、前記通信手段を介して前記外部の撮像装置から前記撮影範囲情報を取得することを特徴とする請求項１記載の表示装置。
［請求項３］
前記通信手段は、前記外部の撮像装置から、前記外部の撮像装置が撮像する画像を逐次受信し、
前記第１の表示制御手段は、前記通信手段により逐次受信された画像を前記表示手段に表示させる
ことを特徴とする請求項２記載の表示装置。
［請求項４］
前記外部の撮像装置は装置本体に着脱自在に構成されていることを特徴とする請求項１乃至３の何れかに記載の表示装置。
［請求項５］
装置本体に前記外部の撮像装置が装着されているか否かを確認する確認手段を更に備え、
前記第１の表示制御手段は、前記確認手段により装置本体に前記外部の撮像装置が装着されていることが確認されたことを条件として、前記設定手段により設定された領域に対応する画像を前記表示手段に表示させることを特徴とする請求項４記載の表示装置。
［請求項６］
前記確認手段により装置本体に前記外部の撮像装置が装着されていないことが確認されたことに応答し、前記通信手段を介して前記外部の撮像装置に一定時間毎の撮像動作、及び当該撮像動作により撮像した画像の送信の開始を要求する要求手段を更に備えることを特徴とする請求項５記載の表示装置。
［請求項７］
前記確認手段は、前記取得手段により取得された撮影範囲情報に示される撮影範囲が前記撮像手段により撮像される画像の撮影範囲に含まれる場合に、前記外部の撮像装置が装着されていると判断することを特徴とする請求項５又は６記載の表示装置。
［請求項８］
前記取得手段は、前記通信手段を介して前記外部の撮像装置に撮像動作及び当該撮像動作により撮像した画像の送信を要求するとともに、当該要求に応答して前記外部の撮像装置から送信された画像を前記撮影範囲情報として取得することを特徴とする請求項２乃至７の何れか記載の表示装置。
［請求項９］
前記設定手段は、前記取得手段により前記撮影範囲情報として取得された第１の画像に相当する領域を、前記撮像手段により前記第１の画像と同一又は略同一のタイミングで撮像された第２の画像の内容から特定し、特定した領域を前記設定された領域として設定することを特徴とする請求項２乃至８の何れか記載の表示装置。
［請求項１０］
前記設定手段は、前記第２の画像において前記第１の画像の予め決められた基準領域に相当する特定領域を探索することによって、前記第１の画像に相当する領域を前記第２の画像において特定し、特定した領域を前記設定された領域として設定することを特徴とする請求項９記載の表示装置。
［請求項１１］
前記取得手段により前記撮影範囲情報として取得された第１の画像と、当該第１の画像と同一又は略同一のタイミングで撮像された第２の画像とを前記表示手段に区別可能に表示させるよう制御する第２の表示制御手段と、
前記第２の表示制御手段による表示の後、外部操作に応じて前記第１の画像の表示位置及びサイズを調整する調整手段と、
を更に備え、
前記設定手段は、前記第１の画像に相当する領域を、前記調整手段による前記第１の画像の調整結果に基づき前記第２の画像において特定し、特定した領域を前記設定された領域として設定する
ことを特徴とする請求項９記載の表示装置。
［請求項１２］
外部の撮像装置による撮影範囲を示す撮影範囲情報を取得する取得ステップと、
撮像部で撮像された画像に、前記取得ステップにて取得された撮影範囲情報に示される撮影範囲に相当する領域を設定する設定ステップと、
前記設定ステップにて設定された領域における画像を表示部に表示させる表示制御ステップと、
を含むことを特徴とする画像表示方法。
［請求項１３］
撮像手段と表示手段とを備えた表示装置が有するコンピュータを、
外部の撮像装置による撮影範囲を示す撮影範囲情報を取得する取得手段、
前記撮像手段により撮像された画像に、前記取得手段により取得された撮影範囲情報に示される撮影範囲に相当する領域を設定する設定手段、
前記設定手段により設定された領域に対応する画像を前記表示手段に表示させる表示制御手段、
として機能させることを特徴とするプログラム。
【符号の説明】
【００６８】
１    表示装置
２    本体
３    カメラ部
１１    制御部
１２    撮像部
１３    表示部
１５    無線通信部
１０１    撮像装置
１１２    撮像部
１１４    無線通信部
１１６    電源部
Ａ    基準領域
Ｂ    特定領域
Ｃ    表示対象領域
Ｏ    特定領域の中心
Ｐ    表示対象領域の中心
Ｑ    第２のキャプチャ画像の中心
Ｇ１    第１のキャプチャ画像
Ｇ２    第２のキャプチャ画像
Ｇ３    部分画像
Ｇ２１    画像
【図１】
0006573211.tif 000002
【図２】
0006573211.tif 000003
【図３】
0006573211.tif 000004
【図４】
0006573211.tif 000005
【図５】
0006573211.tif 000006
【図６】
0006573211.tif 000007